(57)【要約】      （修正有）【課題】図案を表示可能な衣服および表示方法を提供する。【解決手段】図案を表示可能な衣服本体１１、制御器１２、通信ユニット１３、電源１４を含み、制御器、通信ユニットおよび電源は、衣服本体に設けられる。通信ユニットは、外部装置から送信された図案を受信するためのもので、制御器はユーザーのコマンドを受信するためのものでコマンドに従って衣服本体における図案の表示を制御する。衣服本体は図案を表示できる材料で作り、電源は衣服本体および/または制御器および/または通信ユニットに給電するためのものである。衣服本体自体が表示装置として利用でき、衣服本体に設ける通信ユニットおよび制御器により、外部装置から異なった図案が得られ、願望に従って衣服本体における図案の表示を変換する。【選択図】図１
2016113739.tif 000002
【特許請求の範囲】
【請求項１】
図案を表示可能な衣服本体、制御器、通信ユニットおよび電源を含み、
前記制御器、通信ユニットおよび電源は、前記衣服本体に設けられ、
前記通信ユニットは、外部装置から送信された図案を受信するためのものであり、
前記制御器は、ユーザーのコマンドを受信するためのものであって、前記コマンドに従って前記衣服本体における前記図案の表示を制御し、
前記衣服本体は、図案を表示できる材料で作られ、
前記電源は、前記衣服本体および/または前記制御器および/または前記通信ユニットに給電するためのものであることを特徴とする図案を表示可能な衣服。
【請求項２】
前記衣服本体は、複数の表示チップを相互に接続して構成されることを特徴とする請求項１に記載の衣服。
【請求項３】
前記電源は、ソーラーパワーである、および/または、前記通信ユニットは近距離無線通信ユニットまたはブルートゥース通信ユニットであることを特徴とする請求項１または２に記載の衣服。
【請求項４】
前記制御器は、前記ユーザーによって変更された図案の表示コマンドを受信し、前記変更された図案の表示コマンドに従って、前記衣服本体に表示する図案を変更させることを特徴とする請求項１または２に記載の衣服。
【請求項５】
前記衣服は、前記衣服本体に設けられるタイマーを含み、
前記制御器は、前記タイマーと接続し、前記ユーザーが入力した定期的に表示するコマンドを受信し、前記定期的に表示するコマンドと前記タイマーからのタイミング結果に従って、前記衣服本体における異なった図案の定期的な表示を制御することを特徴とする請求項１または２に記載の衣服。
【請求項６】
衣服における図案の表示方法であって、
前記方法は、
外部装置から送信された図案を受信するステップと、
ユーザーのコマンドを受信し、前記コマンドに従って衣服本体における前記図案の表示を制御するステップと、
を含み、
前記衣服本体は、図案を表示できる材料で作られることを特徴とする表示方法。
【請求項７】
前記衣服本体は、複数の表示チップを相互に電気的に接続して構成されることを特徴とする請求項６に記載の表示方法。
【請求項８】
前記衣服は、電源および通信ユニットを含み、
前記電源はソーラーパワーである、および/または、前記通信ユニットは近距離無線通信ユニットまたはブルートゥース通信ユニットであることを特徴とする請求項６または７に記載の表示方法。
【請求項９】
前記ユーザーのコマンドを受信し、前記コマンドに従って前記衣服本体における前記図案の表示を制御するステップでは、前記ユーザによって変更された図案の表示コマンドを受信し、前記変更された図案の表示コマンドに従って前記衣服本体に表示する図案を変更することを特徴とする請求項６または７に記載の表示方法。
【請求項１０】
前記衣服は、制御器と、前記衣服本体に設けられて前記制御器と接続するタイマーとを含み、
前記ユーザーのコマンドを受信し、前記コマンドに従って前記衣服本体における前記図案の表示を制御するステップでは、前記ユーザーが入力した定期的に表示するコマンドを受信し、前記定期的に表示するコマンドと前記タイマーからのタイミング結果に従って、前記衣服本体における異なった図案の定期的な表示を制御することを特徴とする請求項６または７に記載の表示方法。
【発明の詳細な説明】
【技術分野】
【０００１】
本発明は、図案の表示を変更可能な衣服および当該衣服による図案の表示方法に関する。
【発明の概要】
【発明が解決しようとする課題】
【０００２】
従来の衣服における図案は布地を加工したときに完了または後続で刺繍できるが、どんな方法にもかかわらず、その上での図案を施してしまうと変更できない。ユーザーはもし他の図案に欲しいものとかあれば、さらに新しい衣服などを購入しなければならない。
【課題を解決するための手段】
【０００３】
従来技術の問題点を解決するために、本発明の実施の形態においては、図案を表示可能な衣服を提供し、図案を表示可能な衣服本体、制御器、通信ユニット及び電源を含む。制御器、通信ユニット及び電源は、衣服本体に設けられる。制御器は、ユーザーのコマンドを受信するためのものであって、コマンドに従って衣服本体における図案の表示を制御する。衣服本体は、図案を表示できる材料で作る。電源は、衣服本体および/または制御器および/または通信ユニットに給電するためのものである。好ましくは、衣服本体は複数の表示チップにより相互に接続して構成される。好ましくは、電源はソーラーパワーである、および/または、通信ユニットは近距離無線通信ユニットまたはブルートゥース通信ユニットである。好ましくは、制御器は、具体的にはユーザにより変更された図案用の表示コマンドを受信するためのものであって、変更された図案の表示コマンドによって衣服本体に表示する図案を変更させる。好ましくは、衣服はまた、衣服本体に設けるタイマーを含む。制御器は、タイマーと接続し、ユーザが入力した定期的に表示するコマンドを受信するためのものであって、定期的に表示するコマンドとタイマーからのタイミング結果に従って異なった図案について衣服本体での定期的な表示を制御する。
【０００４】
本発明はまた、図案の表示方法を提供し、衣服に応用される。ただし以下を含む。外部装置から送信された図案を受信する。ユーザーのコマンドを受信し、コマンドに従って衣服本体における図案の表示を制御する。衣服本体は、図案を表示できる材料で作る。好ましくは、衣服本体は、複数の表示チップにより相互に接続して構成される。好ましくは、電源はソーラーパワーである、および/または、通信ユニットは近距離無線通信ユニットまたはブルートゥース通信ユニットである。好ましくは、ユーザーのコマンドを受信し、コマンドに従って制御されて衣服本体における図案の表示は以下を含む。ユーザーにより変更された図案用の表示コマンドが受信されて、変更された図案での表示コマンドによって衣服本体に表示する図案が変更される。好ましくは、衣服はまた、衣服本体に設けて制御器と接続するタイマーを含む。好ましくは、ユーザーのコマンドを受信し、コマンドに従って制御されて衣服本体における図案の表示は以下を含む。ユーザが入力した定期的に表示するコマンドを受信して、定期的に表示するコマンドとタイマーからのタイミング結果に従って異なった図案について衣服本体での定期的な表示が制御される。
【発明の効果】
【０００５】
本発明の衣服本体は、図案を表示できる材料で作るから、衣服本体自体がまた、表示装置として利用できるが、衣服本体に設ける通信ユニットおよび制御器などのユニットにより、外部装置から異なった図案が得られて願望に従って衣服本体における図案の表示を変換する。
【図面の簡単な説明】
【０００６】
【図１】本発明の実施例１に係る図案を表示できる衣服の構成を示す。
【図２】本発明の実施例１に係る表示方法を示すフローチャートである。
【発明を実施するための形態】
【０００７】
本発明の目的、技術的な解決方法、および利点をより明確にするために、以下、図面を参照しながら本発明の好適な実施の形態を詳細に説明する。
【０００８】
本発明では、図案を表示可能な衣服およびそれによる図案の表示方法を提供することを目指し、衣服本体を表示装置として利用できるために、ユーザーの願望に従って衣服本体に異なった図案が表示される。
【０００９】
（実施形態１）
図１に示すように、本発明によって提供した図案を表示可能な衣服は、図案を表示可能な衣服本体１１、制御器１２、通信ユニット１３および電源１４を含む。ただし、制御器１２、通信ユニット１３及び電源１４は、衣服本体１１に設けられる。
【００１０】
通信ユニット１３は、外部装置から送信された図案を受信するためのものである。具体的には、移動端末においてインターネットからダウンロードした図案を受信できる。当該通信ユニット１３を近距離通信ユニットとし、ブルートゥース通信部ユニットとして、または他の通信ユニットとして使用できるが、本発明はこの点において限定されない。
【００１１】
制御器１２は、ユーザーのコマンドを受信するためのものであって、コマンドに従って衣服本体１１における図案の表示を制御する。
【００１２】
なお、留意すべきことは、本発明の衣服本体は図案を表示できる材料で作る、これに基づき、衣服本体自体がまた、大型の表示装置として利用できる。本発明において、衣服本体は複数表示できるチップにより電気接続して作る、好ましい実施形態において、作った衣服本体の材料として柔軟な材料を選択したのは、人体着用のニーズに適合するためである。
【００１３】
電源１４は、衣服本体１１、制御器１２、通信ユニット１３に用いられて、少なくとも１つの電源を提供する。
【００１４】
電源１４は、バッテリーを使用できるし、ソーラーの電力供給モードも採用できるし、太陽エネルギーを電源に変換し利用できるが、本発明はこの点において限定されない。
【００１５】
制御器１２は、具体的には、ユーザーが入力した表示コマンド、オフコマンドなどに従って、衣服本体における図案の表示を制御する。例えば、オフコマンドを受信するときに、制御器１２は衣服本体１１を制御していかなる図案を表示させない。一方、表示コマンドを受信するときに、制御器１２は、衣服本体１１を制御して、ユーザーにより選択された図案を表示させる。
【００１６】
本発明においては、衣服本体１１は、ユーザーの願望に従って、表示する図案を変換する。つまり制御器１２は、ユーザーによる変更された図案の表示コマンドを受信して、変更された図案の表示コマンドに従って衣服本体１１に表示する図案を変更させる。
【００１７】
本発明においては、制御器１２で複数の図案を記憶でき、衣服本体１１に表示する。記憶空間を節約するために、本発明では、制御器１２は、ユーザーが新しい表示コマンドを入力した後、通信ユニット１３を制御して外部装置から対応する図案を取得する。
【００１８】
その他、本発明においては、衣服本体１１も定期的に選択した複数の図案を表示できる。従って、本発明においては、衣服は、また衣服本体１１に設けるタイマーを含む。制御器１２は、上記タイマーと接続し、ユーザーが入力した定期的に表示するコマンドを受信すするためのものであって、定期的に表示するコマンドとタイマーからのタイミング結果に従って異なった図案を衣服本体１１での定期的な表示を制御する。例えば、選択した各種の図案を設定してそれぞれ１分表示した後、次の図案まで変更するが、制御器１２は、衣服本体１１を制御し、設定した手順に従って定期的に選択されたそれぞれの図案を表示させる。もちろん、本発明においては、また他の図案の表示モードを有する。本発明はこの点において限定されない。
【００１９】
（実施形態２）
図案を表示可能な衣服に対応して、本発明はまた図案の表示方法を提供し、上記衣服に応用される。図２に示すように、以下のステップを含む。
【００２０】
Ｓ１１は、外部装置から送信された図案を受信する。具体的には、移動端末においてインターネットからダウンロードした図案を受信できる。本発明においては、通信ユニット１３に基づいて近距離通信ユニットとし、ブルートゥース通信部ユニットとし、または他の通信ユニットとして使用できるが、本発明はこの点において限定されない。
【００２１】
Ｓ１２は、ユーザーのコマンドを受信し、当該コマンドに従って衣服本体における図案の表示を制御する。なお、留意すべきことは、本発明の衣服本体は図案を表示できる材料で作る、これに基づき、衣服本体自体がまた、大型の表示装置として利用できる。本発明において、衣服本体は複数表示できるチップにより電気接続して作る、好ましい実施形態において、作った衣服本体の材料として柔軟な材料を選択したのは、人体着用のニーズに適合するためである。
【００２２】
制御器１２は、具体的にはユーザーが入力した表示コマンド、オフコマンドなどに従って、衣服本体１１における図案の表示を制御する。例えば、オフコマンドを受信するときに、衣服本体１１を制御していかなる図案を表示させない。一方、表示コマンドを受信するときに、衣服本体を制御してユーザーが選択された図案を表示させる。
【００２３】
本発明においては、衣服本体１１は、ユーザーの願望に従って、表示する図案を変換する。つまり制御器１２は、ユーザーによる変更された図案の表示コマンドを受信して、変更された図案の表示コマンドに従って衣服本体１１に表示する図案を変更させる。
【００２４】
本発明においては、制御器１２で複数の図案を記憶でき、衣服本体１１に表示する。記憶空間を節約するために、本発明では、制御器１２は、ユーザーが新しい表示コマンドを入力した後、通信ユニット１３を制御して外部装置から対応する図案を取得する。
【００２５】
その他、本発明においては、衣服本体１１も定期的に選択した複数の図案を表示できる。従って、本発明においては、衣服は、また衣服本体１１に設けて制御器１２と接続するタイマーを含む。
【００２６】
ステップＳ１２では、具体的にはユーザーが入力した定期的に表示するコマンドを受信し、定期的に表示するコマンドとタイマーからのタイミング結果に従って異なった図案を衣服本体１１での定期的な表示を制御する。例えば、選択した各種の図案を設定してそれぞれ１分表示した後、次の図案まで変更すると、制御器１２は、衣服本体１１を制御し、設定した手順に従って定期的に選択されたそれぞれの図案を表示させる。
【００２７】
本発明の衣服本体１１は図案を表示可能な材料で作るから、衣服本体１１自体がまた、表示装置として利用できる。衣服本体１１における通信ユニット１３および制御器１２などのユニットにより、外部装置から異なった図案が得られて願望に従って衣服本体１１における表示を変換する。上記方法は、図案を表示可能な衣服と対応しながら、関連部分が互いにご参考できることは言うまでもない。当業者によって、上述した実施形態の全部または部分のステップが理解されるべきである、プログラムと関連するハードウェアとにより実施を命令し、プログラムがコンピュータ読み取り可能な記憶媒体に格納されてもよい。上述した記憶媒体としては、読み取り専用メモリ、磁気ディスクまたは光ディスクなどでも良い。
【００２８】
上記した本発明の好ましい実施形態のみ、本発明の範囲が限定されるものではなく、本発明の精神と原則内で、あらゆる補正、同等置換、改善などは、本発明の詳細な説明及び特許請求の範囲の記載要件内に含まれる。
【００２９】
本特許出願は、中国特許出願第２０１４１０７５８９６０．４号の優先権を主張し、この文書の開示内容は参照によって本明細書に組み込まれている。
【図１】
2016113739.tif 000003
【図２】
2016113739.tif 000004